(57)【要約】      （修正有）【課題】人手を煩わせての設置の必要のない祭壇、それを開発する。【解決手段】祭壇画像をコンピューターの記憶媒体に書き込み、当該祭壇画像を大型モニターにて表現する。【選択図】図１
2012075834.tif 000002
【特許請求の範囲】
【請求項１】
パソコン等の記憶媒体に祭壇画像を書き込み、当該祭壇画像を葬儀場に配設した大型液晶モニターにて表現すべく構成した葬儀会場における画像祭壇表現システム。
【請求項２】
記憶媒体に書き込む画像祭壇は宗派又は遺族の要望に応じることができるように複々数の形態の異なる画像祭壇としてなる請求項１の葬儀会場における画像祭壇表現システム。
【請求項３】
画像祭壇の前面に配置する生花、供物等を画像祭壇とは別に記憶媒体に複々数の種類を書き込み、モニターに画像祭壇を表現したのちに、当該生花、供物等を選んで配置すべく構成してなる請求項１の葬儀会場における画像祭壇表現システム。
【請求項４】
画像祭壇の背景、即ち、故人の故郷の風景、故人の好みの風景等の動画を記憶媒体に書き込み、モニターに表現した画像祭壇の背景として当該動画を表現すべく構成してなる請求項１の葬儀会場における画像祭壇表現システム。
【請求項５】
画像祭壇の背景を、金色の光、即ち後光状の動画として記憶媒体に書き込み、当該後光をモニターに表現した画像祭壇の背景として表現すべく構成してなる請求項１の葬儀会場における画像祭壇表現システム。
【請求項６】
故人の遺影を記憶媒体に書き込み、モニターに表現した画像祭壇の前面にサイネージソフトを用いて表現すべく構成してなる請求項１の葬儀会場における画像祭壇表現システム。
【請求項７】
故人を偲ぶ文体、又は葬儀参列御礼文等を記憶媒体に書き込みモニターに表現した画像祭壇の下方にテロップにて表現すべく構成してなる請求項１の葬儀会場における画像祭壇表現システム。
【請求項８】
画像祭壇、背景、生花、供物等をハイビジョン３Ｄ画像として記憶媒体に書き込んだことを特徴とする請求項１の葬儀会場における画像祭壇表現システム。
【発明の詳細な説明】
【技術分野】
【０００１】  本発明は葬儀会場において使用されている祭壇に関するものである。
【背景技術】
【０００２】  従来より日本の葬儀では必ず祭壇が使用されている。祭壇は供養の型を表現するものであり、また祭壇の形態は多様で、台や板状の自然石を用いたもの（石壇）、土を盛り上げて作ったもの（土壇）、石を積み上げて作ったもの（石積壇）、地面に獣の皮やコモを敷いたものなどがあり、はじめは自然物を使用・あるいは加工した形態のものが次第に神殿の建設など複雑な構造を持つものに変化していった。構造の複雑化に伴い、使用する材料も多様化し大理石、金属等などを用いたものや入念な装飾をもつものが現れるようになった。【０００３】  また祭壇購入費が２００万円〜６００万円と高額で、尚且つ祭壇組み替えが発生した場合には、その組み替えと時間と人件費が発生していた。更に、祭壇には葬儀を華やかに見せるため生花を飾りつけ、また当然のことながら供物も用意しないといけない。また祭壇の背景には幕引きや照明等で演出効果上げるために喰う負を凝らした設備が施されている。このようなことから、葬儀費用を例えば２００万円とすれば、その中には祭壇に伴う費用が４０万円〜５０万円程度含まれているのが実情である。しかも、当該祭壇は設置したままの状態とはいえ、永年使用することはできず、ある程度の年数使用すれば買い替えが必要であった。【０００４】  今後、高齢化が進むに伴い葬儀件数も増加することが予想されるが、葬儀では祭壇の組み替え施工と祭壇移動が発生し、多数の作業者がいなければ準備作業に支障をきたすようになってくる。祭壇施工のほかの生花の飾り付けや果物の供物等、そのたびに費用が発生し、また祭壇背景も演出効果を上げるためには高額な設備投資が必要となってくる。【０００５】  最近は葬儀場等を利用するホール葬がほとんどで、祭壇施工費と調光可能な照明器具等を設置しなければならず、設備投資には１．０００万円程度の高額な投資が必要となっている。しかも葬儀社では葬儀が発生した場合、短時間ですべての段取りをしなければならないという人で不足というリスクを負うことになる。また祭壇に飾り付ける生花も施工までには時間と費用が嵩み、それらの費用が全て葬儀費用に跳ね返っている。
【発明の概要】
【発明が解決しようとする課題】
【０００６】  人手を煩わせての設置の必要のない祭壇、それを開発することが発明が解決しようとする課題である。
【課題を解決するための手段】
【０００７】  祭壇画像をコンピューターの記憶媒体に書き込み、当該祭壇画像を大型モニターにて表現すること、これが課題を解決するための手段である。
【発明の効果】
【０００８】  本発明は、パソコン等の記憶媒体に祭壇画像を書き込み、当該祭壇画像を葬儀場に配設した大型液晶モニターにて表現すべく構成した葬儀会場における画像祭壇表現システムであり、更には、記憶媒体に書き込む画像祭壇は宗派又は遺族の要望に応じることができるように複々数の形態の異なる画像祭壇としてなる請求項１の葬儀会場における画像祭壇表現システムであり、更には、画像祭壇の前面に配置する生花、供物等を画像祭壇とは別に記憶媒体に複々数の種類を書き込み、モニターに画像祭壇を表現したのちに、当該生花、供物等を選んで配置すべく構成してなる請求項１の葬儀会場における画像祭壇表現システムであり、更には、画像祭壇の背景、即ち、故人の故郷の風景、故人の好みの風景等の動画を記憶媒体に書き込み、モニターに表現した画像祭壇の背景として当該動画を表現すべく構成してなる請求項１の葬儀会場における画像祭壇表現システムであり、更には、画像祭壇の背景を、金色の光、即ち後光状の動画として記憶媒体に書き込み、当該後光をモニターに表現した画像祭壇の背景として表現すべく構成してなる請求項１の葬儀会場における画像祭壇表現システムであり、更には、故人の遺影を記憶媒体に書き込み、モニターに表現した画像祭壇の前面にサイネージソフトを用いて表現すべく構成してなる請求項１の葬儀会場における画像祭壇表現システムであり、更には、故人を偲ぶ文体等を記憶媒体に書き込み、テロップにてモニターに表現した画像祭壇に合わせて表現すべく構成してなる請求項１の葬儀会場における画像祭壇表現システムであり、更には、画像祭壇、背景、生花、供物等をハイビジョン３Ｄ画像として記憶媒体に書き込んだことを特徴とする請求項１の葬儀会場における画像祭壇表現システムであるから、葬儀業者として祭壇導入費の削減と、人件費の削減と組み替え作業及びそれに付帯した作業の軽減が可能であり、また祭壇の照明設備が不要、生花費用、背景に使用する設備機器の投資が不要になり、葬儀費用の低価格化が実現でき、葬儀業者ばかりでなく葬家にかかる費用も軽減でき、その上、新しい演出方法が自由に設定でき参列者からの感動も得られる等、誠に顕著なる効果を有するものである。
【図面の簡単な説明】
【０００９】
2012075834.tif 000003
【発明を実施するための形態】
【００１０】  パソコン等の記憶媒体に祭壇画像を書き込み、当該祭壇画像を葬儀会場に配設した大型液晶モニターにて表現すべく構成した葬儀会場における画像祭壇表現システムであり、更には、記憶媒体に書き込む画像祭壇は宗派又は遺族の要望に応じることができるように複々数の形態の異なる画像祭壇としてなる請求項１の葬儀会場における画像祭壇表現システムであり、更には、画像祭壇の前面に配置する生花、供物等を画像祭壇とは別に記憶媒体に複々数の種類を書き込み、モニターに画像祭壇を表現したのちに、当該生花、供物等を選んで配置すべく構成してなる請求項１の葬儀会場における画像祭壇表現システムであり、更には、画像祭壇の背景、即ち、故人の故郷の風景、故人の好みの風景等の動画を記憶媒体に書き込み、モニターに表現した画像祭壇の背景として当該動画を表現すべく構成してなる請求項１の葬儀会場における画像祭壇表現システムであり、更には、画像祭壇の背景を、金色の光、即ち後光状の動画として記憶媒体に書き込み、当該後光をモニターに表現した画像祭壇の背景として表現すべく構成してなる請求項１の葬儀会場における画像祭壇表現システムであり、更には、故人の遺影を記憶媒体に書き込み、モニターに表現した画像祭壇の前面にサイネージソフトを用いて表現すべく構成してなる請求項１の葬儀会場における画像祭壇表現システムであり、更には、故人を偲ぶ文体又は葬儀参列御礼文等を記憶媒体に書き込み、モニターに表現した画像祭壇の下方にテロップにて表現すべく構成してなる請求項１の葬儀会場における画像祭壇表現システムであり、更には、画像祭壇、背景、生花、供物等をハイビジョン３Ｄ画像として記憶媒体に書き込んだことを特徴とする請求項１の葬儀会場における画像祭壇表現システムを呈せんとするものである。
【実施例】
【００１１】  パソコンの記憶媒体に画像祭壇１をハイビジョン３Ｄ画像として書き込む。画像祭壇１は６種類程度書き込んでおき、宗派による違い等、葬儀場の求めに応じて対応できるようにしている。当該画像祭壇１は大型液晶モニター２、本実施例においてはシャープ（株）の６０型の液晶ディスプレーを組み合わせるマルチディスプレイシステムを使用しており、当該マルチディスプレイシステムは画面のつなぎ目がわずか６．５ｍｍという世界最狭のフレームが使われており、３０枚組み合わせれば８０００×４０００画素の高精細画像を表示できる。本実施例においては６０型ディスプレイ９枚を使用しているが、表現する葬儀会場の広さ等により使用枚数を増やして大きい画像祭壇とすることもできる。図１が記憶媒体に書き込んだ画像祭壇１である。図２〜図５は実際に画像祭壇１をマルチディスプレイシステム２で表現した状態を示すものである。【００１２】  画像祭壇１の背景には、図２〜図３に示すように、故人の故郷の風景、山、海３等を表現し得るように記憶媒体に書き込んでいる。例えば図２に示す山であれば霧の立ち込める状態、また図３に示す海であれば波の動きを表現するためにハイビジョンの３Ｄ動画としている。【００１３】  画像祭壇１の前面に配置する生花、供物６等を画像祭壇１とは別に記憶媒体に複々数の種類を書き込み、マルチディスプレイシステム２に画像祭壇１を表現したのちに、当該生花、供物６等を選んで配置すべく構成している。【００１４】  図５に示すように、画像祭壇１の背景として、金色の光、即ち後光状をハイビジョン３Ｄ動画として記憶媒体に書き込み、当該後光３をマルチディスプレイシステム２に表現した画像祭壇１の背景として後光３が上がら下、下から上等に動きが表現できるように構成している。【００１５】  故人の遺影４を記憶媒体に書き込み、モニターに表現した画像祭壇の前面にサイネージソフトを用いて表現すべく構成している。【００１６】  故人を偲ぶ文体、又は葬儀参列御礼文５等を記憶媒体に書き込みモニターに表現した画像祭壇の下方にテロップにて表現すべく構成している。【００１７】  尚、本システムとしては、記憶媒体に書き込む画像祭壇その他は葬儀社の要望事項に応じて制作し、制作したソフトはＤＶＤ等にて葬儀社に提供する。
【産業上の利用可能性】
【００１８】  パソコン等の記憶媒体に祭壇画像を書き込み、当該祭壇画像を葬儀会場に配設した大型液晶モニターにて表現すべく構成した葬儀場における画像祭壇表現システムであり、更には、記憶媒体に書き込む画像祭壇は宗派又は遺族の要望に応じることができるように複々数の形態の異なる画像祭壇としてなる葬儀会場における画像祭壇表現システムであり、更には、画像祭壇の前面に配置する生花、供物等を画像祭壇とは別に記憶媒体に複々数の種類を書き込み、モニターに画像祭壇を表現したのちに、当該生花、供物等を選んで配置すべく構成してなる葬儀会場における画像祭壇表現システムであり、更には、画像祭壇の背景、即ち、故人の故郷の風景、故人の好みの風景等の動画を記憶媒体に書き込み、モニターに表現した画像祭壇の背景として当該動画を表現すべく構成してなる葬儀会場における画像祭壇表現システムであり、更には、画像祭壇の背景を、金色の光、即ち後光状の動画として記憶媒体に書き込み、当該後光をモニターに表現した画像祭壇の背景として表現すべく構成してなる葬儀会場における画像祭壇表現システムであり、更には、故人の遺影を記憶媒体に書き込み、モニターに表現した画像祭壇の前面にサイネージソフトを用いて表現すべく構成してなる葬儀会場における画像祭壇表現システムであり、更には、故人を偲ぶ文体等を記憶媒体に書き込み、テロップにてモニターに表現した画像祭壇に合わせて表現すべく構成してなる葬儀会場における画像祭壇表現システムであり、更には、画像祭壇、背景、生花、供物等をハイビジョン３Ｄ画像として記憶媒体に書き込んだことを特徴とする請求項１の葬儀場における画像祭壇表現システムであるから、葬儀業者として祭壇導入費の削減と、人件費の削減と組み替え作業及びそれに付帯した作業の軽減が可能であり、また祭壇の照明設備が不要、生花費用、背景に使用する設備機器の投資が不要になり、葬儀費用の低価格化が実現でき、葬儀業者ばかりでなく葬家にかかる費用も軽減でき、その上、新しい演出方法が自由に設定でき参列者からの感動も得られる。また競合他社との差別化ができ、先行したビジネスチャンスが生まれるうえ、モニター製造会社においてもマルチディスプレイシステムの新たな需要が見込める等産業上の利用価値は極めて高いものである。
【符号の説明】
【００１９】  １  画像祭壇
２  マルチディスプレイシステム
３  背景
４  遺影
５  文字
６  生花、供物
【図１】
2012075834.tif 000004
【図２】
2012075834.tif 000005
【図３】
2012075834.tif 000006
【図４】
2012075834.tif 000007
【図５】
2012075834.tif 000008
【図６】
2012075834.tif 000009
【図７】
2012075834.tif 000010
【図８】
2012075834.tif 000011
【手続補正書】
【提出日】平成22年11月28日(2010.11.28)
【手続補正２】
【補正対象書類名】明細書
【補正対象項目名】０００９
【補正方法】変更
【補正の内容】
【０００９】
【図１】記憶媒体に書き込んだ画像祭壇の一例図。
【図２】モニターに表現した状態を示す図。
【図３】モニターに表現した状態を示す図。
【図４】モニターに表現した状態を示す図。
【図５】モニターに表現した状態を示す図。
【図６】従来の木製祭壇を示す正面図。
【図７】従来の木製祭壇の使用状態を示す正面図。
【図８】遺影、文字等の表現を示す図。